(57)【要約】      （修正有）【課題】所有者等の特定の者以外による誤使用を防止するレーザーポインタを提供する。【解決手段】レーザーダイオードと、このレーザーダイオードを制御する制御回路と、この制御回路に接続されたレーザー照射スイッチと、使用者の指紋を検出する指紋検出手段と、使用可能な者の指紋を記録する登録指紋データ記録手段と、前記指紋検出手段により検出された指紋データと前記登録指紋データとを比較、照合する指紋認証手段とを有し、この指紋認証手段によって、前記検出した指紋データと前記登録指紋データとが一致した場合のみ、前記レーザー照射スイッチの操作によって、レーザ光が照射されることを特徴とするレーザーポインタ。【選択図】図１
2017173392.tif 000002
【特許請求の範囲】
【請求項１】
レーザーダイオードと、このレーザーダイオードを制御する制御回路と、
この制御回路に接続されたレーザー照射スイッチと、使用者の指紋を検出する指紋検出手段と、使用可能な者の指紋を記録する登録指紋データ記録手段と、前記指紋検出手段により検出された指紋データと前記登録指紋データとを比較、照合する指紋認証手段とを有し、この指紋認証手段によって、前記検出した指紋データと前記登録指紋データとが一致した場合のみ、前記レーザー照射スイッチの操作によって、レーザ光が照射されることを特徴とするレーザーポインタ。
【請求項２】
前記指紋検出手段は、レーザー照射スイッチを構成することを特徴とする請求項１項記載のレーザーポインタ。
【請求項３】
前記検出した指紋データと前記登録指紋データとが一致しない場合、使用者の指紋が登録されていないことを表示するインジケーターを有することを特徴とする請求項１項記載のレーザーポインタ。
【発明の詳細な説明】
【技術分野】
【０００１】
本発明は、レーザーポインタに関するものであって、特に使用者を制限することができるレーザーポインタに関するものである。
【背景技術】
【０００２】
従来からプレゼンテーションを効率よく行うためにレーザーポインタが用いられている。
このレーザーポインタは、プロジェクタを用いて、スクリーンにプレゼンテーション資料を投影しながら、プレゼンテーションする者が、所定の文字或いは画像に注目させるためにその指標したい部位に、高輝度の赤色或いは緑色のレーザー光を照射するものである。
【０００３】
従来、レーザーポインタは、簡単に操作できることが望まれており、レーザ照射スイッチを押すとレーザー光が照射され、レーザー照射スイッチから指を離すとレーザー光の照射が止まる。
【０００４】
このレーザーポインタのレーザー光は人の目に照射すると目の網膜にダメージを与えるため、レーザーポインタの使用には細心の注意を要する。
このレーザーポインタを、例えば子供が手にした場合、レーザー照射スイッチを不用意に押してしまい、意図せずレーザー光が照射され、子供の目或はその近くにいる人物の目にレーザー光が照射される可能性がある。
【０００５】
【特許文献１】特開２００４−５４１０５号
【発明の開示】
【発明が解決しようとする課題】
【０００６】
本発明は、上述のような、子供などが誤って、人物にレーザー光を照射してしまうような、危険な誤った使用を防止することを目的としている。
また、レーザーポインタが盗難された場合であっても、第三者によって、例えば、スポーツ観戦時に選手にレーザー光を照射するような誤った使用や、航空機にレーザー光の照射行う等の行為を防止することを可能とするものである。
【０００７】
上記特許文献１は、幼児などがレーザーポインターの誤った使用を防止するために、周囲照度センサーを用いて、一定以上明るい場所では、レーザー照射を行えなくするレーザーポインタが示されている。
【０００８】
しかしながら、このように明るさでレーザー照射を制限してしまうと、レーザーポインタの利便性が損なわれてしまう。
また、全てのプレゼンテーションが暗い場所で行われるわけではなく、レーザー照射の可否の最適な切り替えのための照度値を１つの値に設定することは現実的には困難であり、実現性に乏しい。
【０００９】
本発明は、レーザーポインタの利便性を損なうことなく、レーザーポインタ所有者などの特定の者にのみ使用を制限する手段を用いることによって、第三者によるレーザーポインタの危険な、誤った使用を防止することが可能なレーザーポインタを提供するものである。
【課題を解決するための手段】
【００１０】
上記課題を解決するため、本発明は、請求項１に記載するように、レーザーダイオードと、このレーザーダイオードを制御する制御回路と、
この制御回路に接続されたレーザー照射スイッチと、使用者の指紋を検出する指紋検出手段と、使用可能な者の指紋を記録する登録指紋データ記録手段と、前記指紋検出手段により検出された指紋データと前記登録指紋データとを比較、照合する指紋認証手段とを有し、この指紋認証手段によって、前記検出した指紋データと前記登録指紋データとが一致した場合のみ、前記レーザー照射スイッチの操作によって、レーザ光が照射されることを特徴としている。
【００１１】
また、請求項２に示すように、前記指紋検出手段は、レーザー照射スイッチを構成することを特徴としている。
また、請求項３に示すように、前前記検出した指紋データと前記登録指紋データとが一致しない場合、使用者の指紋が登録されていないことを表示するインジケーターを有することを特徴としている。
【発明の効果】
【００１２】
本発明によれば、レーザーポインタを使用する者を登録することによって、使用者可能な者を制限し、第三者による、レーザーポインタの危険な誤った使用を防止することが可能となる。
【発明を実施するための最良の形態】
【００１３】
以下、本発明を実施するための最良の形態について、図面を参照して詳細に説明する。
【実施例】
【００１４】
以下、図に沿って本発明の一実施例を説明する。
図１は本発明の一実施例を示す構成図である。
１はレーザーポインタの本体ケースであり、図２に示すような円筒型の外形を有している。
この本体ケース１の内部には、赤色、或いは緑色のレーザー光を生成するレーザーダイオード２が配置されている。
３は制御回路であり、レーザーダイオード２の点灯及び出力安定化の制御を行うものである。
４は着脱可能な電源バッテリーであり、この電源バッテリー４でレーザーダイオード２が駆動される。
５は制御回路３に接続されたレーザー照射スイッチであり、このスイッチ５を使用者が押している間だけ、レーザーダイオード２が駆動され、レーザー光が生成される。
６はレーザー照射スイッチ５の表面に設けられた指紋検出手段である。７はこの指紋検出手段６で検出された使用者の指紋データと、レーザーポインタを使用可能な者として登録された指紋データとの比較、照合を行う指紋認証手段である。
８は上述の登録された指紋データを記録する登録指紋データ記録手段（メモリ）である。
９は図示しないパーソナルコンピュータと接続するための通信手段である。このパーソナルコンピュータにインストールされたアプリケーションソフトウエアによって、レーザーポインタを使用可能な者の指紋として登録された指紋データが前記メモリ８に記録される。
１０は、レーザー光を本体１の内部から外部に照射するために、本体１の先端に設けられた開口である。
１１は、指紋認証の結果、検出された指紋データと登録された指紋データが一致しない場合に赤色に点灯する、発光ダイオードからなるインジケータである。
【００１５】
続いて、本実施例のレーザーポインタの動作について説明する。
上述のように、レーザー照射スイッチ５の表面には指紋検出手段６が設けられている。
この指紋検出手段６によって、検出された使用者の指紋データは、指紋認証手段７によって、メモリ８に記録（登録）された指紋データと比較照合される。
検出された指紋データが、登録された指紋データと一致する場合には、制御回路３によって、電源バッテリー４からレーザーダイオード２に電力が供給されて、レーザー光が生成される。
一方、検出された指紋データが、登録された指紋データと一致しない場合は、レーザーダイオード２に電力は供給されず、レーザー光は生成されない。
また、この場合は、制御回路３によって、インジケータ１１に電源バッテリー４から電力が供給されて、インジケータが赤く点灯する。
【００１６】
尚、レーザー照射スイッチ５の表面に指紋検出手段６が設けることによって、使用者の指紋の検出とレーザー照射とを、同じスイッチでほぼ同時に行うことが可能となり、従来のレーザーポインタと同様の操作感で使用ができる。
このため、使用者がレーザーポインタの操作に迷うことなく、容易に使用できる。
【００１７】
図２に本実施例のレーザーポインタの外形を示す。
指紋検出手段６の表面に、前記登録したい指紋の指を置き、軽く押すと、指紋検出手段７に電力が供給されて、指紋の検出が行われる。
尚、本実施例では、インジケータ１１は、指紋の認証されなかった場合に、赤く点灯するものであるが、指紋の認証がされた場合に、緑色、或は青色に点灯してもよい。
このように、動作の状態でインジケータの点灯の色を変更することで、例えば、レーザー照射されなかった場合、それが、指紋認証の結果によるものなのか、電池切れによるものなのか、又は回路の故障によるものなのか等の判断が容易となる。
【００１８】
続いて、図３を用いて、レーザーポインタに使用者の指紋の登録を行う例を説明する。
レーザーポインタを使用可能な者の指紋データの登録は、パーソナルコンピュータ１２の使用者登録用アプリケーションソフトウエアによって行う。
このアプリケーションソフトウエアを立ち上げると、このパーソナルコンピュータ１２の図示しない通信手段と、レーザーポインタの通信手段との無線接続がされる。
この無線接続によって、レーザーポインタは、使用者の登録ができる状態になる。
【００１９】
このように、本実施例装置のレーザーポインタの指紋検出手段６は、使用者の指紋の登録を行う状態（モード）と、レーザーポインタの使用時の使用者の認証を行う状態（モード）との２つのモードで使用されるが、このモードの切り替えが、上述のアプリケーソンソフトウエアで行われる。
【００２０】
接続が完了すると、パーソナルコンピュータ１２の表示面には、「指紋検出手段６に、指紋登録する指を乗せて軽く押すように」との案内表示がされる。
指紋検出手段６に所望の指が置かれ、軽く押されると、指紋検出手段６は、その指紋を読み取り、読み取った指紋データ８が、メモリ８に記録される。
【００２１】
登録する指紋データは、複数であってもよい。
例えば、右手の親指と左手の親指、右手の親指と人差し指、或は両手の全ての指の指紋データを登録する。
また、このレーザーポインタが、共同利用するものである場合は、その利用する者の指の指紋データを全て登録する。
【００２２】
本発明は、上述の実施例に限定されるものではなく、例えば、本体ケースの寸法、形状等は種々変更可能である。
また、上述の実施例においては、通信手段９は、無線通信装置としたが、有線による通信であってもよい。
また、指紋検出手段とレーザー照射スイッチを別体としてもよい。
【００２３】
また、インターネットのクラウドサービスを用いて、使用者登録を行ってもよい。
更に、メモリ８には、レーザーポインタの使用履歴を記録してもよい。この場合は、パーソナルコンピュータあるいはクラウドサービスによって、この履歴を表示できるようなサービスを提供可能となる。
【産業上の利用可能性】
【００２４】
本発明は、プレゼンテーション等に用いられるレーザーポインタの安全性を向上させるものであり、第三者による、人に向けたレーザー照射などの、危険な誤った使用を防止できるレーザーポインタを提供するものである。
【図面の簡単な説明】
【００２５】
【図１】図１は、本発明の実施例の形態に係るレーザーポインタの構成を示す図である。
【図２】図２は、本発明の実施例の形態に係るレーザーポインタの外形を示す図である。
【図３】図３は、本発明の実施例の形態に係るレーザーポインタへの使用者登録を説明するための図である。
【符号の説明】
【００２６】
２：レーザーダイオード
３：制御回路
６：指紋検出手段
７：指紋認証手段
９：メモリ（登録データ記録手段）
【図１】
2017173392.tif 000003
【図２】
2017173392.tif 000004
【図３】
2017173392.tif 000005